(57)【要約】【課題】安全かつ簡単に通信ケーブル支持部材を吊線に配設する方法を提供する。【解決手段】作業者が操作する操作棒の先端に取り付けられた先端アタッチメントに、通信ケーブル支持部材を着脱自在に装着し、作業者が操作棒を操作して、通信ケーブル支持部材が装着された先端アタッチメントを吊線に近づけ、先端アタッチメントを下降させて先端アタッチメントに装着された通信ケーブル支持部材の第２の係合部と吊線とを係合させ、先端アタッチメントを回動させて先端アタッチメントに装着された通信ケーブル支持部材の第１の係合部を吊線に近づけ、先端アタッチメントを上昇させて通信ケーブル支持部材を先端アタッチメントから離脱させ、第１の係合部と吊線とを係合させる。【選択図】 図１３
2018113821.tif 000002
【特許請求の範囲】
【請求項１】
通信ケーブルを支持するための通信ケーブル支持部材を電柱間に架設された吊線に取り付ける取り付け方法であって、
作業者が操作する操作棒の先端に取り付けられた先端アタッチメントに、前記通信ケーブル支持部材を着脱自在に装着する工程と、
前記作業者が前記操作棒に対して第１の操作をすることによって、前記通信ケーブル支持部材が装着された前記先端アタッチメントを前記吊線に近づける工程と、
前記作業者が前記操作棒に対して第２の操作をすることによって、前記先端アタッチメントに装着された前記通信ケーブル支持部材の第２の係合部と前記吊線とを係合する工程と、
前記作業者が前記操作棒に対して第３の操作をすることによって、前記先端アタッチメントに装着された前記通信ケーブル支持部材の第１の係合部を前記吊線に近づける工程と、
前記作業者が前記操作棒に対して第４の操作をすることによって、前記通信ケーブル支持部材を前記先端アタッチメントから離脱すると共に、前記第１の係合部と前記吊線とを係合する工程と、
前記操作棒を下げて前記先端アタッチメントを回収する工程と、を有することを特徴とする方法。
【請求項２】
前記作業者が前記操作棒に対して行う第１の操作が、前記先端アタッチメントを上昇させる操作であることを特徴とする請求項１に記載の方法。
【請求項３】
前記作業者が前記操作棒に対して行う第２の操作が、前記通信ケーブル支持部材を所定位置へ移動させ、前記先端アタッチメントを下降させる操作であることを特徴とする請求項１あるいは２に記載の方法。
【請求項４】
前記作業者が前記操作棒に対して行う第３の操作が、前記先端アタッチメントを回動させる操作であることを特徴とする請求項１〜３のいずれかに記載の方法。
【請求項５】
前記作業者が前記操作棒に対して行う第４の操作が、前記先端アタッチメントを上昇させる操作であることを特徴とする請求項１〜４のいずれかに記載の方法。
【請求項６】
前記操作棒が伸縮自在となっていることを特徴とする請求項１〜５のいずれかに記載の方法。
【請求項７】
前記通信ケーブル支持部材が、前記通信ケーブルを通す通信ケーブル受留部と、前記通信ケーブル受留部を前記吊線に取り付けるために、前記通信ケーブル受留部の一端に設けられて前記吊線と係合する第１の係合部と、前記通信ケーブル受留部を前記吊線に取り付けるために、前記通信ケーブル受留部の他端に設けられて前記吊線と係合する第２の係合部と、を有することを特徴とする請求項１に記載の方法。
【請求項８】
前記通信ケーブル支持部材が前記吊線に取り付けられた状態で、前記第１の係合部が、前記吊線を取り囲むように係合すると共に、前記通信ケーブル支持部材が前記吊線に取り付けられた状態で、前記第２の係合部が前記吊線を取り囲むように係合することを特徴とする請求項７に記載の方法。
【発明の詳細な説明】
【技術分野】
【０００１】
本発明は、通信ケーブルを支持するための通信ケーブル支持部材を電柱間に架設された吊線に配設する通信ケーブル支持部材配設方法に関するものである。
【背景技術】
【０００２】
従来、電柱間に架設された吊線に、通信ケーブルを支持するための通信ケーブル支持部材を複数配設し、その通信ケーブル支持部材に通信ケーブルを通すことにより、通信ケーブルを吊線に支持する方法が行われていた。
【０００３】
この通信ケーブル支持部材の従来例としては、図２１に示すようなものが提案されていた。
【０００４】
図２１は、従来の通信ケーブル支持部材を示す正面図である。
【０００５】
すなわち、図２１に示すように、通信ケーブル支持部材１０１は、通信ケーブルを受け留めるように半円形状に形成された通信ケーブル受留部１０１ａと、その通信ケーブル受留部１０１ａの両端からそれぞれ上方に延びる第１および第２の伸延部１０１ｂ、１０１ｃとを有しており、第１の伸延部１０１ｂの先端には、電柱に架設された吊線３に係合する第１の係合部１０１ｄが設けられ、第２の伸延部１０１ｃの先端には、電柱に架設された吊線３に係合する第２の係合部１０１ｅが設けられている。
【０００６】
そして、図２１に示すように、電柱間に架設された吊線３に第１および第２の係合部１０１ｄ、１０１ｅが係合された状態で、通信ケーブル受留部１０１ａへ通信ケーブル（図示省略）を通すことにより、吊線３に通信ケーブルが支持されることとなる。
【０００７】
なお、電柱間に架設された吊線３に通信ケーブル支持部材１０１を取り付け易くするために、第１および第２の係合部１０１ｄ、１０１ｅはそれぞれ異った形状となっていた。
【０００８】
すなわち、第１の係合部１０１ｄは、吊線３に深く係合するＣ字形状をしており、第２の係合部１０１ｅは、吊線３に浅く係合する形状となっており、吊線３に第１および第２の係合部１０１ｄ、１０１ｅを係合する方法としては、まず、吊線３に第１の係合部１０１ｄを引っ掛けて深く係合させ、次に、吊線３に第２の係合部１０１ｅを引っ掛けて浅く係合させるようにしていた。
【０００９】
すなわち、作業者が、吊線３に通信ケーブル支持部材１０１を取り付け易くするために、第１の係合部１０１ｄは吊線３に深く係合するＣ字形状をしており、第２の係合部１０１ｅは、吊線３に浅く係合する形状となっていた。
【００１０】
そして、その作業者による通信ケーブル支持部材１０１の取り付け作業は、宙吊りやバケット車等を使って高所で手作業により行われていた。
【先行技術文献】
【特許文献】
【００１１】
【特許文献１】特開２０００−２２４７４２号公報
【特許文献２】実開昭６１−１０１９０６号公報
【発明の概要】
【発明が解決しようとする課題】
【００１２】
しかしながら、上述したような従来の通信ケーブル支持部材では、その作業者による通信ケーブル支持部材の吊線への取り付け作業が、宙吊りやバケット車等を使って高所で行われていたので、手間がかかり、危険も伴うと言う問題があった。
【００１３】
すなわち、通信ケーブル支持部材の吊線への取り付け作業は、大変大掛かりな作業であり、危険を伴う作業であった。
【００１４】
さらに、上述したような従来の通信ケーブル支持部材では、通常は十分にその機能を果たすが、以下に説明するように横方向に外圧が加わったり、強風により、吊り線や通信ケーブルが風圧を受けて大きな振動になり、大きな圧力を受けると、時として通信ケーブル支持部材が吊線から外れ、通信ケーブルを支持する機能を果たせなくなるという問題があった。
【００１５】
本発明の目的は、電柱間に架設された吊線に通信ケーブル支持部材を安全かつ簡単に配設することができる通信ケーブル支持部材配設方法を提供することである。
【００１６】
本発明の他の目的は、電柱間に架設された吊線に横方向からの力が加わったり、強風により、吊り線や通信ケーブルが風圧を受けて大きな振動になり、大きな圧力を受けても吊線から外れない通信ケーブル支持部材を簡単に配設することができる通信ケーブル支持部材配設方法を提供することである。
【課題を解決するための手段】
【００１７】
本発明は上述の問題を解決するためのものであり、請求項１に係る発明は、通信ケーブルを支持するための通信ケーブル支持部材を電柱間に架設された吊線に取り付ける取り付け方法であって、
作業者が操作する操作棒の先端に取り付けられた先端アタッチメントに、前記通信ケーブル支持部材を着脱自在に装着する工程と、
前記作業者が前記操作棒に対して第１の操作をすることによって、前記通信ケーブル支持部材が装着された前記先端アタッチメントを前記吊線に近づける工程と、
前記作業者が前記操作棒に対して第２の操作をすることによって、前記先端アタッチメントに装着された前記通信ケーブル支持部材の第２の係合部と前記吊線とを係合する工程と、
前記作業者が前記操作棒に対して第３の操作をすることによって、前記先端アタッチメントに装着された前記通信ケーブル支持部材の第１の係合部を前記吊線に近づける工程と、
前記作業者が前記操作棒に対して第４の操作をすることによって、前記通信ケーブル支持部材を前記先端アタッチメントから離脱すると共に、前記第１の係合部と前記吊線とを係合する工程と、
前記操作棒を下げて前記先端アタッチメントを回収する工程と、を有することを特徴とする。
【００１８】
請求項２に係る発明は、請求項１に記載の方法において、前記作業者が前記操作棒に対して行う第１の操作が、前記先端アタッチメントを上昇させる操作であることを特徴とする。
【００１９】
請求項３に係る発明は、請求項１あるいは２に記載の方法において、前記作業者が前記操作棒に対して行う第２の操作が、前記通信ケーブル支持部材を所定位置へ移動させ、前記先端アタッチメントを下降させる操作であることを特徴とする。
【００２０】
請求項４に係る発明は、請求項１〜３のいずれかに記載の方法において、前記作業者が前記操作棒に対して行う第３の操作が、前記先端アタッチメントを回動させる操作であることを特徴とする。
【００２１】
請求項５に係る発明は、請求項１〜４のいずれかに記載の方法において、前記作業者が前記操作棒に対して行う第４の操作が、前記先端アタッチメントを上昇させる操作であることを特徴とする。
【００２２】
請求項６に係る発明は、請求項１〜５のいずれかに記載の方法において、前記操作棒が伸縮自在となっていることを特徴とする。
【００２３】
請求項７に係る発明は、請求項１に記載の方法において、前記通信ケーブル支持部材が、前記通信ケーブルを通す通信ケーブル受留部と、前記通信ケーブル受留部を前記吊線に取り付けるために、前記通信ケーブル受留部の一端に設けられて前記吊線と係合する第１の係合部と、前記通信ケーブル受留部を前記吊線に取り付けるために、前記通信ケーブル受留部の他端に設けられて前記吊線と係合する第２の係合部と、を有することを特徴とする。
【００２４】
請求項８に係る発明は、請求項７に記載の方法において、前記通信ケーブル支持部材が前記吊線に取り付けられた状態で、前記第１の係合部が、前記吊線を取り囲むように係合すると共に、前記通信ケーブル支持部材が前記吊線に取り付けられた状態で、前記第２の係合部が前記吊線を取り囲むように係合することを特徴とする。
【発明の効果】
【００２５】
電柱間に架設された通信ケーブルの吊線に通信ケーブル支持部材を安全かつ簡単に配設することができる効果がある。
【図面の簡単な説明】
【００２６】
【図１】本願発明を実施した通信ケーブル支持部材１が電柱間に架設された吊線３に取り付けてある状態を示す概略図である。
【図２】図１に示した通信ケーブル支持部材１が吊線３に取り付けられた状態の拡大斜視図である。
【図３】図１に示した通信ケーブル支持部材１を示すものであり、（ａ）は、通信ケーブル支持部材１のみの斜視図であり、（ｂ）は、吊線３に取り付けられた状態の通信ケーブル支持部材１の斜視図である。
【図４】図１に示した通信ケーブル支持部材１を示すものであり、（ａ）は、通信ケーブル支持部材１のみの平面図であり、（ｂ）は、吊線３に取り付けられた状態の通信ケーブル支持部材１の平面図である。
【図５】図１に示した通信ケーブル支持部材１を示すものであり、（ａ）は、通信ケーブル支持部材１のみの側面図であり、（ｂ）は、吊線３に取り付けられた状態の通信ケーブル支持部材１の側面図である。
【図６】図１に示した通信ケーブル支持部材１を示すものであり、（ａ）は、通信ケーブル支持部材１のみの正面図であり、（ｂ）は、吊線３に取り付けられた状態の通信ケーブル支持部材１の正面図である。
【図７】図１に示した通信ケーブル支持部材１を示すものであり、（ａ）は、通信ケーブル支持部材１のみの背面図であり、（ｂ）は、吊線３に取り付けられた状態の通信ケーブル支持部材１の背面図である。
【図８】図１に示した通信ケーブル支持部材１を吊線３へ取り付けるための通信ケーブル支持部材取付用具９の側面図である。
【図９】図８に示す先端アタッチメント１３の拡大側面図である。
【図１０】図８に示す先端アタッチメント１３の拡大斜視図である。
【図１１】通信ケーブル支持部材１が係合された状態での先端アタッチメント１３の拡大側面図である。
【図１２】通信ケーブル支持部材取付用具９を用いて通信ケーブル支持部材１を吊線３へ取り付ける様子を示す説明図である。
【図１３】通信ケーブル支持部材取付用具９を使った通信ケーブル支持部材１の吊線３への取り付け方法のフローチャートである。
【図１４】通信ケーブル支持部材１が係合された状態での先端アタッチメント１３を示す一方からの拡大斜視図である。
【図１５】通信ケーブル支持部材１が係合された状態での先端アタッチメント１３を示す他方からの拡大斜視図である。
【図１６】通信ケーブル支持部材取付用具９を用いて通信ケーブル支持部材１を吊線３に取り付ける動作説明図である。
【図１７】通信ケーブル支持部材取付用具９を用いて通信ケーブル支持部材１を吊線３に取り付ける動作説明図である。
【図１８】通信ケーブル支持部材取付用具９を用いて通信ケーブル支持部材１を吊線３に取り付ける動作説明図である。
【図１９】通信ケーブル支持部材取付用具９を用いて通信ケーブル支持部材１を吊線３に取り付ける動作説明図である。
【図２０】通信ケーブル支持部材取付用具９を用いて通信ケーブル支持部材１を吊線３に取り付ける動作説明図である。
【図２１】従来の通信ケーブル支持部材を示す正面図である。
【発明を実施するための形態】
【００２７】
図１は、本願発明を実施した通信ケーブル支持部材１が電柱間に架設された吊線３に取り付けてある状態を示す概略図であり、図２は、図１に示した通信ケーブル支持部材１が吊線３に取り付けられた状態の拡大斜視図である。
【００２８】
また、図３〜図７は、図１に示した通信ケーブル支持部材１を示すものであり、図３（ａ）は、通信ケーブル支持部材１のみの斜視図であり、図３（ｂ）は、吊線３に取り付けられた状態の通信ケーブル支持部材１の斜視図であり、図４（ａ）は、通信ケーブル支持部材１のみの平面図であり、図４（ｂ）は、吊線３に取り付けられた状態の通信ケーブル支持部材１の平面図であり、図５（ａ）は、通信ケーブル支持部材１のみの側面図であり、図５（ｂ）は、吊線３に取り付けられた状態の通信ケーブル支持部材１の側面図であり、図６（ａ）は、通信ケーブル支持部材１のみの正面図であり、図６（ｂ）は、吊線３に取り付けられた状態の通信ケーブル支持部材１の正面図であり、図７（ａ）は、通信ケーブル支持部材１のみの背面図であり、図７（ｂ）は、吊線３に取り付けられた状態の通信ケーブル支持部材１の背面図である。
【００２９】
図１に示すように、本願発明を実施した通信ケーブル支持部材１は、電柱５ａ、５ｂ間に架設された吊線３に取り付けられ、通信ケーブル受留部１ａへ通信ケーブル７を通すことにより、吊線３に通信ケーブル７が支持されるようになっている。
【００３０】
なお、この通信ケーブル支持部材１は、スチール等の弾性部材からなっている。
【００３１】
なお、通常は、吊線３に、複数の通信ケーブル支持部材１が等間隔に取り付けられて、吊線３に通信ケーブル７を支持する。
【００３２】
図２〜図７に示すように、通信ケーブル支持部材１は、通信ケーブル７を通す通信ケーブル受留部１ａと、通信ケーブル受留部１ａを吊線３に取り付けるために、通信ケーブル受留部１ａの一端に設けられた第１の係合部１ｄと、通信ケーブル受留部１ａを吊線３に取り付けるために、通信ケーブル受留部１ａの他端に設けられた第２の係合部１ｅとを有している。
【００３３】
より詳しく説明すると、通信ケーブル受留部１ａは、通信ケーブルを受け留るように半円形状に形成されており、その半円形状の受留部の両端からそれぞれ上方（垂直上方向Ｘ１：図２参照）に延びる第１および第２の伸延部１ｂ、１ｃを有しており、第１の伸延部１ｂの先端１ｂ１には、電柱間に架設された吊線３に係合する第１の係合部１ｄが一体的に設けられ、第２の伸延部１ｃの先端１ｃ１には、電柱間に架設された吊線３に係合する第２の係合部１ｅが一体的に設けられている。
【００３４】
そして、第１の係合部１ｄは、第１の伸延部１ｂの先端１ｂ１から水平方向Ｙ（図２参照）に一体的に延びる第３の伸延部１ｄ１と、第３の伸延部１ｄ１から垂直上方向Ｘ１に一体的に延びる第４の伸延部１ｄ２と、第４の伸延部１ｄ２から一体的に延びる第５の伸延部１ｄ３と、第５の伸延部１ｄ３から一体的に延びる第６の伸延部１ｄ４とからなっている。
【００３５】
なお、図４（ａ）の平面図に示すように、水平面上において、第３の伸延部１ｄ１は、通信ケーブル受留部１ａに対して、第１の所定角度α１で設けられ、第５の伸延部１ｄ３は、第３の伸延部１ｄ１に対して、第２の所定角度α２で設けられ、第６の伸延部１ｄ４は、第５の伸延部１ｄ３に対して、第３の所定角度α３で設けられている。
【００３６】
さらに、図５（ａ）の側面図に示すように、垂直面上において、第５の伸延部１ｄ３は、第４の伸延部１ｄ２に対して、第７の所定角度α７で設けられ、第６の伸延部１ｄ４は、第５の伸延部１ｄ３に対して、第８の所定角度α８で設けられている。
【００３７】
なお、上記第１〜第３の所定角度α１〜α３は、α１＜α２＜α３となっており、この実施形態では、第３の所定角度α３は、約９０°となっているが、この限りではない。
【００３８】
そして、第２の係合部１ｅは、第２の伸延部１ｃの先端１ｃ１から水平方向Ｙに一体的に延びる第７の伸延部１ｅ１と、第７の伸延部１ｅ１から垂直上方向Ｘ１に一体的に延びる第８の伸延部１ｅ２と、第８の伸延部１ｅ２から水平方向Ｙに一体的に延びる第９の伸延部１ｅ３と、第９の伸延部１ｅ３から垂直下方向Ｘ２に一体的に延びる第１０の伸延部１ｅ４と、第１０の伸延部１ｅ４から水平方向Ｙに一体的に延びる第１１の伸延部１ｅ５と、第１１の伸延部１ｅ５から垂直上方向Ｘ１に一体的に延びる第１２の伸延部１ｅ６と、からなっている。
【００３９】
なお、図４（ａ）の平面図に示すように、水平面上において、第７の伸延部１ｅ１は、通信ケーブル受留部１ａに対して、第４の所定角度α４で設けられ、第９の伸延部１ｅ３は、第７の伸延部１ｅ１に対して、第５の所定角度α５で設けられ、第１１の伸延部１ｅ５は、第９の伸延部１ｅ３に対して、第６の所定角度α６で設けられている。
【００４０】
なお、上記第４〜第６の所定角度α４〜α６は、α４＜α５、α６となっており、この実施形態では、第５の所定角度α５は、約９０°、第６の所定角度α６は、約１００°となっているが、この限りではない。
【００４１】
次に、図２および図３（ｂ）〜図７（ｂ）を参照して、通信ケーブル支持部材１が吊線３に取り付けられた状態について説明する。
【００４２】
通信ケーブル支持部材１は、吊線３に取り付けられた状態において、その第１の係合部１ｄおよび第２の係合部１ｅが、吊線３を取り囲むように係合するようになる。
【００４３】
より詳しく説明すると、その第１の係合部１ｄの第３の伸延部１ｄ１と、第４の伸延部１ｄ２と、第５の伸延部１ｄ３と、第６の伸延部１ｄ４とが、吊線３を取り囲むように係合する。
【００４４】
すなわち、通信ケーブル支持部材１が吊線３に取り付けられた状態において、吊線３の下方向に、第３の伸延部１ｄ１と第６の伸延部１ｄ４とが位置し、吊線３の上方向に、第５の伸延部１ｄ３が位置し、吊線３の左右方向に、第４の伸延部１ｄ２と第５の伸延部１ｄ３とが位置するようになっている。
【００４５】
そして、その第２の係合部１ｅの第７の伸延部１ｅ１と、第８の伸延部１ｅ２と、第９の伸延部１ｅ３と、第１０の伸延部１ｅ４と、第１１の伸延部１ｅ５と、第１２の伸延部１ｅ６とが、吊線３を取り囲むように係合する。
【００４６】
すなわち、通信ケーブル支持部材１が吊線３に取り付けられた状態において、吊線３の下方向に、第７の伸延部１ｅ１と第１１の伸延部１ｅ５とが位置し、吊線３の上方向に、第９の伸延部１ｅ３が位置し、吊線３の左右方向に、第８の伸延部１ｅ２と第１０の伸延部１ｅ４と第１２の伸延部１ｅ６が位置するようになっている。
【００４７】
次に、本発明を実施した上記構成の通信ケーブル支持部材１の吊線３への取り付け方法について説明する。
【００４８】
まず、この通信ケーブル支持部材１の吊線３への取り付け方法において使用する通信ケーブル支持部材取付用具９について説明する。
【００４９】
図８は、図１に示した通信ケーブル支持部材１を吊線３へ取り付けるための通信ケーブル支持部材取付用具９の側面図である。
【００５０】
図８に示すように、通信ケーブル支持部材取付用具９は、作業者が持って使用する伸縮自在の操作棒１１と、操作棒１１の先端に取り付ける先端アタッチメント１３とを有している。なお、操作棒１１は、収納式で伸縮自在の伸縮部１１ａを有している。
【００５１】
図９は、図８に示す先端アタッチメント１３の拡大側面図であり、図１０は、図８に示す先端アタッチメント１３の拡大斜視図である。
【００５２】
図９および図１０に示すように、先端アタッチメント１３は、操作棒１１の伸縮部１１ａの先端と嵌合する取付部１３ａを有しており、その取付部１３ａには、水平方向（Ｘ方向）に伸る基端部１３ｂが設けられ、その基端部１３ｂの水平方向（Ｘ方向）の一端には、垂直方向（Ｙ方向）に伸る第１の係止手段としての第１の係止部１３ｃが設けられ、その基端部１３ｂの水平方向（Ｘ方向）の他端には、垂直方向（Ｙ方向）に伸びる第２の係止手段としての第２の係止部１３ｄが設けられている。
【００５３】
そして、図１１に示すように、第１の係止部１３ｃおよび第２の係止部１３ｄにより、通信ケーブル支持部材１が抱え込まれるように保持され係合されるようになる。
【００５４】
図１１は、通信ケーブル支持部材１が係合された状態での先端アタッチメント１３の拡大側面図である。
【００５５】
また、先端アタッチメント１３の第１の係止部１３ｃの先端部には、後述する機能を有する突出部１３ｃ９が設けられている。
【００５６】
なお、図１０に示すように、取付部１３ａの先端にはねじ孔が設けられと共に、基端部１３ｂには、取付部１３ａのねじ孔に対応した孔が設けられ、基端部１３ｂの孔にボルト１３ｂ１を入れて、取付部１３ａのねじ孔にねじ込むことにより、取付部１３ａと基端部１３ｂとが固定されるようになっている。
【００５７】
なお、図１２に示すように、操作棒１１は、その伸縮部１１ａを伸ばして作業者が持った状態で、取り付けた先端アタッチメント１３が吊線３の周辺に十分に届く長さとなる。
【００５８】
図１２は、通信ケーブル支持部材取付用具９を用いて通信ケーブル支持部材１を吊線３へ取り付ける様子を示す説明図である。
【００５９】
次に、図１３のフローチャートを参照して、上述のような構成の通信ケーブル支持部材取付用具９を使った通信ケーブル支持部材１の吊線３への取り付け方法について説明する。
【００６０】
図１３は、通信ケーブル支持部材取付用具９を使った通信ケーブル支持部材１の吊線３への取り付け方法のフローチャートである。
【００６１】
まず、図１３のステップ１０１において、通信ケーブル支持部材取付用具９の先端アタッチメント１３に、通信ケーブル支持部材１を装着する。
【００６２】
すなわち、図１４に示すように、先端アタッチメント１３の第２の係止部１３ｄに、通信ケーブル支持部材１の通信ケーブル受留部１ａの他端および第２の伸延部１ｃおよび第７の伸延部１ｅ１が係合すると共に、
図１５に示すように、先端アタッチメント１３の第１の係止部１３ｃに、通信ケーブル支持部材１の通信ケーブル受留部１ａの一端および第１の伸延部１ｂが係合するように、通信ケーブル支持部材取付用具９の先端アタッチメント１３に、通信ケーブル支持部材１を取り付ける。
【００６３】
図１４は、通信ケーブル支持部材１が係合された状態での先端アタッチメント１３を示す一方からの拡大斜視図であり、図１５は、通信ケーブル支持部材１が係合された状態での先端アタッチメント１３を示す他方からの拡大斜視図である。
【００６４】
この取り付け時には、図１１に示すように、弾性部材からなる通信ケーブル支持部材１は、横方向（方向Ｘ）に所定量だけ湾曲されて取り付けられる。
【００６５】
その湾曲により、図１１に示すように、通信ケーブル支持部材１が取り付けられた状態で、通信ケーブル支持部材１の第１の係合部１ｄ（第３の伸延部１ｄ１、第４の伸延部１ｄ２、第５の伸延部１ｄ３、第６の伸延部１ｄ４）は下方に傾く（図５（ａ）と比較参照）。
【００６６】
通信ケーブル支持部材取付用具９の先端アタッチメント１３に通信ケーブル支持部材１を装着し終わると、ステップ１０３において、図１２に示すように、作業者は、第１の操作として、操作棒１１の伸縮部１１ａを伸ばし、操作棒１１を操作し、作業者が操作棒１１を持った状態で、先端アタッチメント１３を上昇させ、吊線３の所定の取り付け位置へ近づける。
【００６７】
そして、ステップ１０５において、作業者は操作棒１１を操作し、第２の操作として、図１６に示すように、通信ケーブル支持部材１の第２の係合部１ｅの第８の伸延部１ｅ２と第１０の伸延部１ｅ４との間に吊線３が入るように通信ケーブル支持部材１を移動して、通信ケーブル支持部材１の第２の係合部１ｅと吊線３とを仮に係合する。
【００６８】
すなわち、まず、先端アタッチメント１３の第２の係止部１３ｄの外側の中程を、吊線３に接触させ、その接触を保った状態で、先端アタッチメント１３をＹ軸に沿って下げて行き、通信ケーブル支持部材１の第２の係合部１ｅの第８の伸延部１ｅ２と第１０の伸延部１ｅ４との間に吊線３が入るまで下げるようにして係合を行う。
【００６９】
図１６〜図２０は、通信ケーブル支持部材取付用具９を用いて通信ケーブル支持部材１を吊線３に取り付ける動作説明図である。
【００７０】
次に、図１７に示すように、第２の係合部１ｅの第８の伸延部１ｅ２と第１０の伸延部１ｅ４との間に吊線３が入った状態で、ステップ１０７において、作業者は、第３の操作として、操作棒１１を方向Ｃに回動するようにねじって操作し、第１の係止部１３ｃを吊線３に近づけて行き、図１８に示すように、先端アタッチメント１３の第１の係止部１３ｃの突出部１３ｃ９が吊線３に接触するまで操作棒１１を方向Ｃに回動する。
【００７１】
このように、第１の係止部１３ｃの突出部１３ｃ９が吊線３に接触する過程で、第１の係合部１ｄは、湾曲により下方に傾いているので、図１９に示すように、第１の係合部１ｄの第４の伸延部１ｄ２、第５の伸延部１ｄ３、第６の伸延部１ｄ４は、吊線３の下をくぐるように移動する。
【００７２】
それと同時に、この時点で、通信ケーブル支持部材１の第２の係合部１ｅが吊線３との係合を完了する。
【００７３】
すなわち、通信ケーブル支持部材１の第２の係合部１ｅの第７の伸延部１ｅ１と、第８の伸延部１ｅ２と、第９の伸延部１ｅ３と、第１０の伸延部１ｅ４と、第１１の伸延部１ｅ５と、第１２の伸延部１ｅ６とが、吊線３を取り囲むように係合する。
【００７４】
ここでは、第１の係止部１３ｃの突出部１３ｃ９は、作業者による操作棒１１の方向Ｃへの回動動作の停止位置を案内する役割をはたす。
【００７５】
次に、図１９に示すように、第１の係止部１３ｃの突出部１３ｃ９が吊線３に接触している状態で、ステップ１０９において、作業者は操作棒１１を操作して、第４の操作として、先端アタッチメント１３がＹ方向に移動するように、通信ケーブル支持部材取付用具９を上方に持ち上げる。
【００７６】
この先端アタッチメント１３のＹ方向への移動の際、第１の係止部１３ｃおよびその突出部１３ｃ９は、作業者による先端アタッチメント１３のＹ方向への移動を案内する役割をはたす。
【００７７】
このように、先端アタッチメント１３を上方へ移動させると、先端アタッチメント１３に係合していた通信ケーブル支持部材１は、先端アタッチメント１３から外れる。
【００７８】
すなわち、先端アタッチメント１３を上方へ上げて行くと、先端アタッチメント１３に取り付けられている通信ケーブル支持部材１の第１の係合部１ｄの第３の伸延部１ｄ１および第２の係合部１ｅの第７の伸延部１ｅ１とが吊線３に接触する。
【００７９】
そして、そのまま、先端アタッチメント１３を、さらに上方へ上げて行くと、第１の係合部１ｄの第３の伸延部１ｄ１および第２の係合部１ｅの第７の伸延部１ｅ１とが吊線３に接触しているので、先端アタッチメント１３の第１の係止部１３ｃおよび第２の係止部１３ｄと通信ケーブル支持部材１とが、相対的に移動し、先端アタッチメント１３から通信ケーブル支持部材１が外れるようになる。
【００８０】
このようにして先端アタッチメント１３から通信ケーブル支持部材１が外れると、それと同時に、図１９に示すように横方向に所定量だけ湾曲されて先端アタッチメント１３に取り付けられていた弾性部材からなる通信ケーブル支持部材１が解放され、その湾曲が戻り、図２０に示すように、通信ケーブル支持部材１の第１の係合部１ｄ（第３の伸延部１ｄ１と、第４の伸延部１ｄ２と、第５の伸延部１ｄ３と、第６の伸延部１ｄ４）と吊線３とが係合される。
【００８１】
すなわち、先端アタッチメント１３から通信ケーブル支持部材１が外れて、湾曲されて取り付けられていた通信ケーブル支持部材１が解放されると、通信ケーブル支持部材１の第１の係合部１ｄが上方へ跳ね上がり、第１の係合部１ｄの第３の伸延部１ｄ１と、第４の伸延部１ｄ２と、第５の伸延部１ｄ３と、第６の伸延部１ｄ４とが、吊線３を取り囲むように係合する。
【００８２】
その後、ステップ１１１において、作業者が、先端アタッチメント１３が下方に移動するように操作棒１１を下げると、図２０に示すような状態となり、通信ケーブル支持部材取付用具９を収納する。
【００８３】
なお、複数の通信ケーブル支持部材１を吊線３に連続して配設する場合には、上記ステップ１０１からステップ１１１の処理工程を繰り返す。
【００８４】
このように、作業者は、通信ケーブル支持部材取付用具９を使用して、通信ケーブル支持部材１を吊線３に取り付けるので、作業者は宙吊りやバケット車等を使って高所へ移動する必要が無くなり、安全かつ簡単に通信ケーブル支持部材１を吊線３に配設することができる。
【００８５】
また、電柱間に架設された吊線に横方向又は、その他の方向からの力が加わっても吊線から外れない通信ケーブル支持部材を、安全かつ簡単に吊線３に配設することができる。
【００８６】
すなわち、上述のような構成の通信ケーブル支持部材１が吊線３へ取り付けられるので、図２および図４（ｂ）に示すように、通信ケーブル支持部材１が通信ケーブルを支持した状態で、矢印Ａあるいは矢印Ｂ方向の横方向又は、その他の方向から、雪や風等による大きな力が加わったり、又は、ロータリー除雪車からの雪による大きな力が加わっても、通信ケーブル支持部材１の第１の係合部１ｄおよび第２の係合部１ｅが吊線３から外れることはない。
【００８７】
より詳しく説明すると、例えば、通信ケーブル支持部材１等に横方向Ａから雪や風等による大きな力が加わった場合、第１の係合部１ｄにおいては、その第５の伸延部１ｄ３と第６の伸延部１ｄ４とが、吊線３からの離脱を防ぎ、第２の係合部１ｅにおいては、その第８の伸延部１ｅ２と第１２の伸延部１ｅ６とが、吊線３からの離脱を防ぐ。
【００８８】
また、例えば、通信ケーブル支持部材１等に横方向Ｂから雪や風等による大きな力が加わった場合、第１の係合部１ｄにおいては、その第４の伸延部１ｄ２と第５の伸延部１ｄ３とが、吊線３からの離脱を防ぎ、第２の係合部１ｅにおいては、その第９の伸延部１ｅ３と第１０の伸延部１ｅ４と第１１の伸延部１ｅ５とが、吊線３からの離脱を防ぐ。
【００８９】
このように、横方向Ａ、Ｂ又は、その他の方向から大きな力が加わっても、通信ケーブル支持部材１が吊線３から外れることはないので、通信ケーブル支持部材１をもう一度付け直す必要もなく、無駄な労力をかける必要もなくなる。
【００９０】
また、通信ケーブル支持部材が吊線から外れると道路にケーブルが垂れ下がり、非常に危険な状態になるが、そのような可能性が無いので、定期的に安全を監視する必要もなく、安全確保のための作業が増えてしまう問題も生じない。
【００９１】
また、通信ケーブル支持部材１の通信ケーブル受留部１ａに通信ケーブル７を載せながら通信ケーブル支持部材１を配設して行けば、通信ケーブル７も一緒に配線することもできる。
【００９２】
この発明は前述の発明の実施の形態に限定されることなく、適宜な変更を行うことにより、その他の態様で実施し得るものである。
【符号の説明】
【００９３】
１  通信ケーブル支持部材
１ａ  通信ケーブル受留部
１ｄ  第１の係合部
１ｅ  第２の係合部
３  吊線
５  電柱
７  通信ケーブル
９  通信ケーブル支持部材取付用具
１１  操作棒
１３  先端アタッチメント
１３ａ  取付部
１３ｂ  基端部
１３ｃ  第１の係止部
１３ｄ  第２の係止部
【図１】
2018113821.tif 000003
【図２】
2018113821.tif 000004
【図３】
2018113821.tif 000005
【図４】
2018113821.tif 000006
【図５】
2018113821.tif 000007
【図６】
2018113821.tif 000008
【図７】
2018113821.tif 000009
【図８】
2018113821.tif 000010
【図９】
2018113821.tif 000011
【図１０】
2018113821.tif 000012
【図１１】
2018113821.tif 000013
【図１２】
2018113821.tif 000014
【図１３】
2018113821.tif 000015
【図１４】
2018113821.tif 000016
【図１５】
2018113821.tif 000017
【図１６】
2018113821.tif 000018
【図１７】
2018113821.tif 000019
【図１８】
2018113821.tif 000020
【図１９】
2018113821.tif 000021
【図２０】
2018113821.tif 000022
【図２１】
2018113821.tif 000023